(57)【特許請求の範囲】
【請求項１】
ベッド本体(1)と、このベッド本体(1)のヘッドボード(2)に連結されるテーブル板(4)と、このテーブル板(4)を収納自在にベッドのヘッドボード(2)に連結する連結具(5)とを備え、
連結具(5)は、後端部を前記テーブル板(4)に固定して先端部には挿入部(8)を設けて、先端部と後端部との間を折曲して全体形状をＬ字状としている連結アーム(6)と、前記ベッド本体(1)のヘッドボード(2)の背面に水平方向に延びるように固定されて、前記連結アーム(6)先端の挿入部(8)が脱着自在に挿入される連結筒(7)とを備え、
前記連結アーム(6)の挿入部(8)と連結筒(7)の横断面形状が四角形で、
前記連結アーム(6)の挿入部(8)と前記連結筒(7)は、前記テーブル板(4)を水平姿勢とする第１の挿入位置と、前記テーブル板(4)を垂直姿勢とする第２の挿入位置とに挿入できる形状としており、第１の挿入位置において前記連結アーム(6)は回転することなく前記連結筒(7)に挿入され、この挿入位置において、前記テーブル板(4)がベッド本体(1)のヘッドボード(2)の前面に水平姿勢に保持され、前記第２の挿入位置において、前記テーブル板(4)がベッド本体(1)のヘッドボード(2)の背面に垂直姿勢に収納されるようにしてなるサイドテーブルを有するベッド。
【発明の詳細な説明】
【技術分野】
【０００１】
本発明は、折り畳み自在なサイドテーブルを有するベッドに関する。
【背景技術】
【０００２】
ベッドは、サイドテーブルを設けて便利に使用できる。とくに、このサイドテーブルは、使用しないときには収納できる構造として、さらに便利に使用できる。使用しない時にテーブルを収納できるサイドテーブルを備えるベッドは開発されている。（特許文献１ないし３参照）
【０００３】
特許文献１及び２の公報には、ベッドの両側に設けている側柵に両端部を載せて橋渡し状態として、配置するテーブル板を備えるベッドが記載される。これらのベッドは、テーブル板を使用しない時には、ベッド本体の頭側の端部に垂直に固定しているヘッドボードに格納する構造としている。ヘッドボードは、テーブル板を収納できる収納部を設けている。このベッドは、テーブル板を使用する時には、ヘッドボードの格納部から取り出してベッド両側の側柵に載せて使用する。このベッドは、テーブル板を使用しない時に、ベッドのボードに格納して邪魔にならないようにできる。
【０００４】
ただ、これらのベッドは、使用しないテーブル板をヘッドボードに格納するので、ヘッドボードには、テーブル板を収納する収納部を設ける必要があり、また、このヘッドボードとテーブル板には、収納部に脱落しないように収納でる構造を必要とする。このため、ヘッドボードが厚くなると共に、その構造が極めて複雑になる欠点がある。また、テーブル板をヘッドボードから外して使用する状態では、ヘッドボードにテーブル板を収納している収納部によって凹部ができる弊害があり、さらにこの凹部によってテーブル板を使用するときの外観も悪くなる。
【０００５】
さらに、特許文献３の公報には、ベッド本体に取り付けた４本のアームによりテーブル板を上下に移動すると共に、テーブル板の４本の脚を、平行四辺形の状態で移動させることで常に垂直姿勢とするベッドが記載される。このベッドは、テーブル板を常に水平姿勢に保持しながら上下に移動させて、使用位置と収納位置とに移動できる。また、４本のアームにエアーダンパーやスプリングダンパー等を設けることで、小さな力でテーブルを安全に上下に移動できる。
【０００６】
ただ、この構造のベッドは、ベッド本体に取り付けた４本のアームによってテーブル板を上下に移動させるので、全体の構造が複雑になると共に、テーブル板を下げて使用する状態において、テーブル板の両側に位置するアームや、これらのアームを平行四辺形に保持する機構が邪魔になる欠点がある。さらに、このベッドは、ヘッドボードの上方に水平姿勢のテーブルを収納するので、テーブル板を使用しない状態でベッドの外観が悪くなり、しかも高いところに大きなテーブル板を配置するので、不安心理が働いて、安心して安全に使用できない等の問題もある。
【先行技術文献】
【特許文献】
【０００７】
【特許文献１】特開２０００−１３５１２２号公報
【特許文献２】特開２０００−２４５５４０号公報
【特許文献３】登実３１０８０９９号公報
【発明の概要】
【発明が解決しようとする課題】
【０００８】
本発明は、以上の欠点を解決することを目的に開発されたものである。本発明の重要な目的は、極めて簡単な構造としながら、サイドテーブルとして使用するテーブル板を簡単かつ容易に、収納位置と使用位置とに移動できるサイドテーブルを有するベッドを提供することにある。
さらに、本発明の他の大切な目的は、サイドテーブルの収納時において、ベッドの外観を損なうことなく、テーブル板を狭いスペースにコンパクトに配置しながら、サイドテーブルの使用時には、テーブル板を水平姿勢に支持して便利に使用できるサイドテーブルを有するベッドを提供することにある。
【課題を解決するための手段及び発明の効果】
【０００９】
本発明のサイドテーブルを有するベッドは、ベッド本体１と、このベッド本体１のヘッドボード２に連結されるテーブル板４と、このテーブル板４を収納自在にベッドのヘッドボード２に連結する連結具５とを備えている。連結具５は、後端部をテーブル板４に固定して先端部には挿入部８を設けて、先端部と後端部との間を折曲して全体形状をＬ字状としている連結アーム６と、ベッド本体１のヘッドボード２の背面に水平方向に延びるように固定されて、連結アーム６先端の挿入部８が脱着自在に挿入される連結筒７とを備えている。連結アーム６の挿入部８と連結筒７は、テーブル板４を水平姿勢とする第１の挿入位置と、テーブル板４を垂直姿勢とする第２の挿入位置とに挿入できる形状としており、第１の挿入位置において、連結アーム６は回転することなく連結筒７に挿入され、この挿入位置において、テーブル板４がベッド本体１のヘッドボード２の前面に水平姿勢に保持され、第２の挿入位置において、テーブル板４がベッド本体１のヘッドボード２の背面に垂直姿勢に収納されている。
【００１０】
以上のベッドは、極めて簡単な構造としながら、サイドテーブルとして使用するテーブル板を簡単かつ容易に、収納位置と使用位置とに移動できる特徴がある。また、以上のベッドは、テーブル板を収納する状態で、ベッドの外観を損なうことなく、テーブル板を狭いスペースにコンパクトに配置しながら、サイドテーブルの使用時には、テーブル板を水平姿勢に支持して便利に使用できる特徴がある。
【００１１】
本発明のサイドテーブルを有するベッドは、連結アーム６の挿入部８と連結筒７の横断面形状を四角形としている。
【図面の簡単な説明】
【００１２】
【図１】本発明の一実施例にかかるサイドテーブルを有するベッドの使用状態を示す斜視図である。
【図２】図１に示すサイドテーブルを有するベッドの背面斜視図である。
【図３】図１に示すサイドテーブルを有するベッドのテーブル板を収納した状態を示す背面斜視図である。
【図４】サイドテーブルを第１の挿入位置で連結筒に挿入する状態を示す拡大分解斜視図である。
【図５】図４に示すサイドテーブルを底面側から見た拡大分解斜視図である。
【図６】サイドテーブルを第２の挿入位置で連結筒に挿入する状態を示す拡大分解斜視図である。
【図７】図２に示すベッドのサイドテーブルをヘッドボードの反対側に配置する状態を示す背面斜視図である。
【図８】図７に示すベッドのサイドテーブルを底面側から見た分解斜視図である。
【図９】本発明の他の実施例にかかるサイドテーブルを有するベッドのサイドテーブルの使用状態を示す斜視図である。
【図１０】図９に示すサイドテーブルを有するベッドのテーブル板を収納した状態を示す背面斜視図である。
【発明を実施するための形態】
【００１３】
以下、本発明の実施例を図面に基づいて説明する。ただし、以下に示す実施例は、本発明の技術思想を具体化するためのサイドテーブルを有するベッドを例示するものであって、本発明はサイドテーブルを有するベッドを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図１ないし図６に示すサイドテーブルを有するベッドは、収納自在なサイドテーブル３を備えている。このベッドは、長手方向の一端部に垂直姿勢のヘッドボード２を固定しているベッド本体１と、このベッド本体１のヘッドボード２に連結されるテーブル板４と、このテーブル板４を収納自在にベッドのヘッドボード２に連結する連結具５とを備えている。
【００１５】
図のテーブル板４は、底面を支持して水平姿勢に支持でき、かつ上に物を載せて変形しない強度を有する、外形を２０ｃｍ×２５ｃｍとする四角形の板材である。テーブル板４は、外形や大きさを特定するものではないが、使用しない状態ではヘッドボード２の背面に収納するので、収納する状態でヘッドボード２の外周から突出しない大きさとして、スッキリと綺麗に収納できる。
【００１６】
連結具５は、テーブル板４に一端を固定している連結アーム６と、この連結アーム６が脱着自在に挿入され、かつヘッドボード２の裏面に固定している連結筒７とを備える。
【００１７】
連結アーム６は、後端部をテーブル板４の下面に固定して、先端部に挿入部８を設けている。この連結アーム６は、挿入部８をヘッドボード２の連結筒７に挿入して、テーブル板４をヘッドボード２の前面に水平姿勢に配置できるように、先端と後端との間を、所定の曲率半径で９０度折曲して、全体の形状をＬ字状としている。図５の連結アーム６は、後端部と先端部とを直線状として、その中間を所定の曲率半径で湾曲する湾曲部６Ｃとして、湾曲部６Ｃの両端に直線部６Ａ、６Ｂを設けている。図４と図５に示すサイドテーブル３は、後端の直線部６Ｂをテーブル板４の左右の中央部に前後の延びる姿勢で固定して、湾曲部６Ｃから先端側の直線部６Ａの一部をテーブル板４の下面後部に固定している。とくに、先端側の直線部６Ａをテーブル板４の後縁に沿って固定している。連結アーム６は、これを貫通する止ネジ１０を介してテーブル板４の下面に固定している。
【００１８】
連結アーム６は、先端部を連結筒７に挿入される挿入部８としている。挿入部８は、回転しないように、しかも抜き差しできるように、ベッド本体１のヘッドボード２の背面に固定している連結筒７に挿入される。連結筒７は、ヘッドボード２の背面に、固定プレート９を介して水平方向に延びるように固定している。図の連結筒７は、固定プレート９の中央部に溶接などの方法で固定される。固定プレート９は、連結筒７の上下の複数カ所を止ネジ１１でヘッドボード２の背面に固定して、連結筒７をヘッドボード２に固定する。
【００１９】
連結筒７には、連結アーム６の挿入部８が、第１の挿入位置と第２の挿入位置とで抜き差しできるように挿入される。第１の挿入位置と第２の挿入位置において、挿入部８は、９０度回転する姿勢で連結筒７に挿入される。
【００２０】
第１の挿入位置において、連結アーム６は回転することなく連結筒７に挿入される。この挿入位置において、テーブル板４はベッド本体１のヘッドボード２の前面に水平姿勢に保持される。図４と図５のサイドテーブル３は、図２に示すように、テーブル板４がヘッドボード２の側面に接触する位置まで挿入部８を連結筒７に挿入して、テーブル板４をヘッドボード２の前面に水平姿勢に配置する。すなわち、テーブル板４がヘッドボード２の側面に接触する位置において、連結アーム６の挿入部８は所定の長さで連結筒７に挿入されるように、挿入部８はテーブル板４の側面から突出している。連結筒７は、テーブル板４から突出している挿入部８を挿入して、テーブル板４を所定の位置に配置するように、ヘッドボード２の背面に水平方向に延びるように固定している。連結アーム６は、先端部に設けている挿入部８をヘッドボード２の背面の連結筒７に挿入して、後端に固定しているテーブル板４をヘッドボード２の前面に配置する。挿入部８がこの状態で回転しないように連結筒７に挿入されて、テーブル板４は傾かないように、ヘッドボード２の前面に水平姿勢に配置される。
【００２１】
第２の挿入位置は、テーブル板４をヘッドボード２の背面に収納する。この状態は、図６に示すように、湾曲する連結アーム６をヘッドボード２の背面に沿う姿勢として、テーブル板４をヘッドボード２と平行な姿勢で、その背面に収納する。第２の挿入位置と第１の挿入位置において、挿入部８は互いに反対側から連結筒７に挿入される。図２ないし図６では、第１の挿入位置において、挿入部８は連結筒７の右端から挿入されてテーブル板４を水平姿勢に配置し、第２の挿入位置において、挿入部８は連結筒７に左端から挿入されて、テーブル板４を垂直姿勢に配置する。挿入部８が９０度回転して連結筒７に挿入されることで、テーブル板４は第１の挿入位置において水平姿勢に、第２の挿入位置において垂直姿勢なる。
【００２２】
図４ないし図６の連結具５は、挿入部８と連結筒７の横断面形状を正方形として、９０度回転する姿勢で挿入でき、かつ挿入する状態で回転しない構造としている。外形の横断面形状を正方形とする挿入部８が、内形の横断面形状を四角形とする連結筒７に挿入されるので、挿入部８の外形は連結筒７の内形よりもわずかに小さく、スムーズに抜き差しして、挿入する状態では挿入部８を回転できない構造としている。
【００２３】
以上のベッドは、サイドテーブル３を使用するときは、図４と図５に示すように、第１の挿入位置として挿入部８を連結筒７に挿入して、図２に示すように、テーブル板４をヘッドボード２の前面に水平姿勢に配置する。サイドテーブル３を使用しないときは、挿入部８を連結筒７から引き抜き、図６に示すように、連結筒７を９０度回転して、テーブル板４を垂直姿勢として連結筒７に反対側から挿入する。この第２の挿入位置において、テーブル板４は、図３に示すように、ヘッドボード２の背面に垂直姿勢で収納される。
【００２４】
以上のベッドは、サイドテーブル３をヘッドボード２の右側に配置する状態を示している。ただ、サイドテーブル３は、図７に示すように、ヘッドボード２の左側に配置することもできる。とくに、このベッドは、サイドテーブル３の連結具５である連結アーム６と連結筒７を脱着自在にテーブル板４とヘッドボード２に固定できる構造としており、図８に示すように、連結アーム６を上下反転する姿勢でテーブル板４に固定すると共に、連結筒７も上下反転する姿勢でヘッドボード２の反対側に固定することで、サイドテーブル３をヘッドボード２の反対側に配置できる。
【００２５】
図８は、連結具５の連結アーム６をテーブル板４から取り外し、上下を反転する状態でテーブル板４の下面に止ネジ１０で固定する状態を示している。図に示すテーブル板４は、連結アーム６を脱着自在に連結するために、連結アーム６を貫通する止ネジ１０をねじ込む雌ネジ孔１２を下面に設けている。この雌ネジ孔１２は、止ネジ１０を着脱できるように、テーブル板４の下面に金属製のナット材１３を埋設して設けている。図のテーブル板４は、連結アーム６の後端の直線部６Ｂを貫通する止ネジ１０をねじ込む雌ネジ孔１２を左右の中央部に前後に離して設けると共に、連結アーム６の湾曲部６Ｃから先端側の直線部６Ａを貫通する止ネジ１０をねじ込む雌ネジ孔１２を後端に沿って設けている。図のテーブル板４は、連結アーム６を反転して連結できるように、後端に沿って左右の両側に雌ネジ孔１２を設けており、連結アーム６の挿入部８を左右のいずれの方向にも突出できるようにしている。
【００２６】
さらに、連結具５は、連結アーム６の挿入部８が挿入される連結筒７も、ヘッドボード２の裏面から取り外して、上下を反転する姿勢でヘッドボード２の反対側に固定できるようにしている。図８に示すヘッドボード２は、連結筒７が固定された固定プレート９を脱着自在に連結するために、固定プレート９を貫通する止ネジ１１をねじ込む雌ネジ孔１４をヘッドボード２の裏面の側部に設けている。この雌ネジ孔１４は、ヘッドボード２の裏面に金属製のナット材１５を埋設して設けている。図のヘッドボード２は、連結筒７を上下反転する姿勢でヘッドボード２の反対側の側部に固定できるように、ヘッドボード２の裏面の両側に、複数の雌ネジ孔１３を互いに対称に設けている。
【００２７】
以上のベッドは、ヘッドボード２の裏面であって、ユーザーがサイドテーブル３を設けたい側の側部に固定プレート９を固定して連結筒７を水平姿勢で配置し、この連結筒７に連結アーム６の挿入部８を挿入する第１の挿入位置において、テーブル板４をヘッドボード２の前面に水平姿勢に配置する。すなわち、ヘッドボード２の右側にサイドテーブル３を配置する場合には、図５に示すように、ヘッドボード２の裏面の右側部に固定プレート９を固定して連結筒７を水平に配置すると共に、テーブル板４の下面には、連結アーム６の挿入部８がテーブル板４の左側に突出するように連結アーム６を固定する。このサイドテーブル３を第１の挿入位置として挿入部８を連結筒７に挿入し、図２に示すように、テーブル板４をヘッドボード２の右側の前面に水平姿勢に配置する。また、ヘッドボード２の左側にサイドテーブル３を配置する場合には、図８に示すように、ヘッドボード２の裏面の左側部に固定プレート９を固定して連結筒７を水平に配置すると共に、テーブル板４の下面には、連結アーム６の挿入部８がテーブル板４の右側に突出するように連結アーム６を固定する。このサイドテーブル３を第１の挿入位置として挿入部８を連結筒７に挿入し、図７に示すように、テーブル板４をヘッドボード２の左側の前面に水平姿勢に配置する。以上のように、この構造のベッドは、ベッドの配置やユーザーの用途に応じて、サイドテーブル３の位置を簡単に変更できる。とくに、部品を増やすことなく連結具５の連結状態を変更することで、簡単にサイドテーブル３の位置を変更できる。
【００２８】
以上のベッドは、ヘッドボード２の片側にのみサイドテーブル３を設けているが、さらに本発明のベッドは、図９と図１０に示すように、ヘッドボード２の両側にサイドテーブル３を設けることもできる。
【符号の説明】
【００２９】
１…ベッド本体
２…ヘッドボード
３…サイドテーブル
４…テーブル板
５…連結具
６…連結アーム                    ６Ａ…直線部
６Ｂ…直線部
６Ｃ…湾曲部
７…連結筒
８…挿入部
９…固定プレート
１０…止ネジ
１１…止ネジ
１２…雌ネジ孔
１３…ナット材
１４…雌ネジ孔
１５…ナット材
【図１】
0005128689.tif 000002
【図２】
0005128689.tif 000003
【図３】
0005128689.tif 000004
【図４】
0005128689.tif 000005
【図５】
0005128689.tif 000006
【図６】
0005128689.tif 000007
【図７】
0005128689.tif 000008
【図８】
0005128689.tif 000009
【図９】
0005128689.tif 000010
【図１０】
0005128689.tif 000011